(57)【要約】【課題】ユーザに対して有用なサービスを提供する【解決手段】カメラ（９１）を制御するカメラ制御部（３２１）と、カメラ（９１）が撮影した画像を補正する画像補正部（３２２）と、画像補正部（３２２）が補正した画像を編集する編集制御部（３１３）と、過去に写真シール作成装置が生成した生成画像であって、撮影設定情報、補正情報および編集情報の少なくとも１つを含む画像管理情報が対応付けられている生成画像を記憶する記憶部（２０２）と、を備え、カメラ制御部（３２１）、画像補正部（３２２）および編集制御部（３１３）は、記憶部（２０２）に記憶されている生成画像に対応付けられている画像管理情報に基づいて、処理を実行する。【選択図】図１１
2015179224.tif 000002
【特許請求の範囲】
【請求項１】
カメラによりユーザを撮影して画像を生成する写真シール作成装置であって、
上記ユーザによる操作を受け付ける入力部と、
上記カメラを制御するカメラ制御手段と、
上記カメラが撮影した画像を補正する補正手段と、
上記入力部により受け付けられた上記ユーザの操作に基づいて、上記補正手段が補正した画像を編集する編集手段と、
過去に写真シール作成装置が生成した生成画像であって、上記カメラ制御手段が設定した設定内容を示す撮影設定情報、上記補正手段が実行した補正内容を示す補正情報、および、上記編集手段が編集した編集内容を示す編集情報の少なくとも１つを含む画像管理情報が対応付けられている生成画像を記憶する記憶部と、を備え、
上記カメラ制御手段は、上記記憶部に記憶されている生成画像に対応付けられている画像管理情報に撮影設定情報が含まれる場合、当該撮影設定情報の示す設定内容で上記カメラに撮影させ、
上記補正手段は、上記記憶部に記憶されている生成画像に対応付けられている画像管理情報に補正情報が含まれる場合、当該補正情報の示す補正内容で補正し、
上記編集手段は、上記記憶部に記憶されている生成画像に対応付けられている画像管理情報に編集情報が含まれる場合、当該編集情報の示す編集内容で編集することを特徴とする写真シール作成装置。
【請求項２】
所定の画像を表示する表示部と、
上記記憶部に記憶されている生成画像を上記表示部に表示させる表示制御手段と、をさらに備え、
上記カメラ制御手段、上記補正手段および上記編集手段は、入力部により受け付けられた上記ユーザによる選択操作が示す生成画像に対応付けられている上記画像管理情報に基づいて、処理を実行することを特徴とする請求項１に記載の写真シール作成装置。
【請求項３】
上記編集手段が編集した画像を出力する出力手段をさらに備え、
上記出力手段は、上記カメラ制御手段が設定した設定内容を示す撮影設定情報、上記補正手段が実行した補正内容を示す補正情報、および、上記編集手段が編集した編集内容を示す編集情報の少なくとも１つを含む画像管理情報を上記画像に対応付けて出力することを特徴とする請求項１または２に記載の写真シール作成装置。
【請求項４】
上記ユーザが、上記画像の撮影風景を動画で撮影する動画撮影対象のユーザであるか否かを判定する判定手段と、
上記判定手段が動画撮影対象であると判定した場合、ユーザの上記画像の撮影風景を動画で撮影するカメラと、
上記カメラが撮影した動画を、写真シール作成装置が生成した画像を管理する管理装置に送信する送信手段と、をさらに備えることを特徴とする請求項１〜３の何れか１項に記載の写真シール作成装置。
【請求項５】
上記カメラは、上記入力部が上記ユーザによる上記動画の撮影開始操作または撮影終了操作を受け付けた場合に、上記動画の撮影を開始する、または、撮影を終了することを特徴とする請求項４に記載の写真シール作成装置。
【請求項６】
ユーザの端末装置および請求項１〜５の何れか１項に記載の写真シール作成装置と通信ネットワークを介して接続し、該端末装置で表示できるデータを提供する管理装置であって、
上記写真シール作成装置が生成した画像を、カレンダー上における当該画像が撮影された日に掲載したスケジュールページであって、当該画像に撮影されている人物、当該画像が撮影された場所および当該画像を生成した写真シール作成装置の機種の少なくとも何れかを掲載したスケジュールページを作成するページ作成手段を備えることを特徴とする管理装置。
【請求項７】
上記ページ作成手段は、同一のカレンダー上に、上記端末装置のユーザによって選択された複数のユーザの情報を掲載したスケジュールページを作成することを特徴とする請求項６に記載の管理装置。
【請求項８】
上記端末装置からデータを受信する受信手段をさらに備え、
上記ページ作成手段は、上記受信手段が受信したデータに基づく情報を掲載したスケジュールページを作成することを特徴とする請求項６または７に記載の管理装置。
【請求項９】
上記受信手段は、上記端末装置から外部サイトを管理するサイト管理装置に送信されたデータを、当該サイト管理装置から受信し、
上記ページ作成手段は、上記受信手段が上記サイト管理装置から受信したデータに基づく情報を掲載したスケジュールページを作成することを特徴とする請求項８に記載の管理装置。
【請求項１０】
カメラによりユーザを撮影して画像を生成する写真シール作成装置の制御方法であって、
上記カメラを制御して、上記ユーザを撮影する撮影ステップと、
上記撮影ステップにおいて上記カメラが撮影した画像を補正する補正ステップと、
上記ユーザの操作に基づいて、上記補正ステップにおいて補正された画像を編集する編集ステップと、を含み、
上記撮影ステップは、上記写真シール作成装置の記憶部に記憶されており、過去に写真シール作成装置が生成した生成画像に対応付けられている画像管理情報に上記撮影ステップにおいて設定された設定内容を示す撮影設定情報が含まれる場合、当該撮影設定情報の示す設定内容で撮影し、
上記補正ステップは、上記記憶部に記憶されている上記生成画像に対応付けられている画像管理情報に上記補正ステップにおいて補正された補正内容を示す補正情報が含まれる場合、当該補正情報の示す補正内容で補正し、
上記編集ステップは、上記記憶部に記憶されている上記生成画像に対応付けられている画像管理情報に上記編集ステップにおいて編集された編集内容を示す編集情報が含まれる場合、当該編集情報の示す編集内容で編集することを特徴とする写真シール作成装置の制御方法。
【発明の詳細な説明】
【技術分野】
【０００１】
本発明は、ユーザを撮影して画像を生成する写真シール作成装置および写真シール作成装置の制御方法、並びに、写真シール作成装置が生成した画像を管理するための管理装置に関する。
【背景技術】
【０００２】
近年の写真シール作成装置には、撮影した画像を管理サーバに送信する機能を有したものが多い。ユーザは、この機能を様々な形で活用できる。例えば、特許文献１に記載されているように、ユーザは、自身の携帯端末を操作して、管理サーバに保存された画像をダウンロードし、携帯端末の画面に表示して楽しむことができる。また、携帯端末は、画像を表示する際に、画像に埋め込まれた編集情報および解析情報に基づいて、ユーザが入力した文字列（ブランド名など）、ユーザが利用したスタンプおよびフレーム（前景画像）、ユーザが選択したコースの名称（裏原系、渋谷系など）、服のブランド名、服の色味、ユーザの肌の露出度合い等を表示する。また、ユーザは、携帯端末上で他人の画像を閲覧することができ、あこがれのモデル等の画像を参考にして、当該画像を模した画像を写真シール作成装置で撮りたいという要望がある。
【先行技術文献】
【特許文献】
【０００３】
【特許文献１】特開２０１３−１１０５３０号公報（２０１３年６月６日公開）
【発明の概要】
【発明が解決しようとする課題】
【０００４】
しかしながら、上述のような従来技術はユーザに対して十分なサービスを提供できていないという問題がある。
【０００５】
本発明は、上記の問題点に鑑みてなされたものであり、その目的は、ユーザに対して有用なサービスを提供する写真シール作成装置、写真シール作成装置の制御方法および管理装置を実現することにある。
【課題を解決するための手段】
【０００６】
上記の課題を解決するために、本発明に係る写真シール作成装置は、カメラによりユーザを撮影して画像を生成する写真シール作成装置であって、上記ユーザによる操作を受け付ける入力部と、上記カメラを制御するカメラ制御手段と、上記カメラが撮影した画像を補正する補正手段と、上記入力部により受け付けられた上記ユーザの操作に基づいて、上記補正手段が補正した画像を編集する編集手段と、過去に写真シール作成装置が生成した生成画像であって、上記カメラ制御手段が設定した設定内容を示す撮影設定情報、上記補正手段が実行した補正内容を示す補正情報、および、上記編集手段が編集した編集内容を示す編集情報の少なくとも１つを含む画像管理情報が対応付けられている生成画像を記憶する記憶部と、を備え、上記カメラ制御手段は、上記記憶部に記憶されている生成画像に対応付けられている画像管理情報に撮影設定情報が含まれる場合、当該撮影設定情報の示す設定内容で上記カメラに撮影させ、上記補正手段は、上記記憶部に記憶されている生成画像に対応付けられている画像管理情報に補正情報が含まれる場合、当該補正情報の示す補正内容で補正し、上記編集手段は、上記記憶部に記憶されている生成画像に対応付けられている画像管理情報に編集情報が含まれる場合、当該編集情報の示す編集内容で編集することを特徴としている。
【０００７】
また、上記の課題を解決するために、本発明に係る写真シール作成装置の制御方法は、カメラによりユーザを撮影して画像を生成する写真シール作成装置の制御方法であって、上記カメラを制御して、上記ユーザを撮影する撮影ステップと、上記撮影ステップにおいて上記カメラが撮影した画像を補正する補正ステップと、上記ユーザの操作に基づいて、上記補正ステップにおいて補正された画像を編集する編集ステップと、を含み、上記撮影ステップは、上記写真シール作成装置の記憶部に記憶されており、過去に写真シール作成装置が生成した生成画像に対応付けられている画像管理情報に上記撮影ステップにおいて設定された設定内容を示す撮影設定情報が含まれる場合、当該撮影設定情報の示す設定内容で撮影し、上記補正ステップは、上記記憶部に記憶されている上記生成画像に対応付けられている画像管理情報に上記補正ステップにおいて補正された補正内容を示す補正情報が含まれる場合、当該補正情報の示す補正内容で補正し、上記編集ステップは、上記記憶部に記憶されている上記生成画像に対応付けられている画像管理情報に上記編集ステップにおいて編集された編集内容を示す編集情報が含まれる場合、当該編集情報の示す編集内容で編集することを特徴としている。
【０００８】
上記構成によれば、上記写真シール作成装置は、過去に写真シール作成装置（自装置および自装置と異なる他の写真シール作成装置を含む）が生成した画像に対応付けられている上記画像管理情報に基づいて、過去に写真シール作成装置が生成した画像と同じ設定内容で撮影したり、当該画像と同じ補正内容で補正したり、当該画像と同じ編集内容で編集したりすることができる。そのため、上記写真シール作成装置は、過去に写真シール作成装置が生成した画像と類似する画像を容易に生成することができる。よって、ユーザは、過去に写真シール作成装置で生成された画像（例えば、モデルの画像、お気に入りのユーザの画像、または、自分の画像等）に似せた画像を容易に作成することができる。
【０００９】
また、本発明に係る写真シール作成装置は、所定の画像を表示する表示部と、上記記憶部に記憶されている生成画像を上記表示部に表示させる表示制御手段と、をさらに備え、上記カメラ制御手段、上記補正手段および上記編集手段は、入力部により受け付けられた上記ユーザによる選択操作が示す生成画像に対応付けられている上記画像管理情報に基づいて、処理を実行することが好ましい。
【００１０】
上記構成によれば、上記写真シール作成装置は、過去に写真シール作成装置が生成した生成画像を表示部に表示し、表示された画像の中から、ユーザが選択した生成画像と類似する画像を容易に生成することができる。ユーザは、過去に写真シール作成装置で生成された生成画像から好きな画像（例えば、モデルの画像、お気に入りのユーザの画像、または、自分の画像等）を選択し、選択した画像に似せた画像を容易に作成することができる。
【００１１】
また、本発明に係る写真シール作成装置は、上記編集手段が編集した画像を出力する出力手段をさらに備え、上記出力手段は、上記カメラ制御手段が設定した設定内容を示す撮影設定情報、上記補正手段が実行した補正内容を示す補正情報、および、上記編集手段が編集した編集内容を示す編集情報の少なくとも１つを含む画像管理情報を上記画像に対応付けて出力することが好ましい。
【００１２】
上記の構成によれば、上記写真シール作成装置は、上記設定内容を示す撮影設定情報、補正内容を示す補正情報、および、編集内容を示す編集情報の少なくとも１つを含む画像管理情報を上記画像に対応付けて出力する。そのため、上記写真シール作成装置から上記画像を取得した装置は、写真シール作成装置が生成した画像の撮影時の設定内容、補正内容および編集内容の少なくとも１つを容易に特定することができる。よって、上記写真シール作成装置から上記画像を取得した装置は、当該画像の撮影時の設定内容、補正内容および編集内容の少なくとも１つを利用したサービスをユーザに提供することができる。
【００１３】
また、本発明に係る写真シール作成装置は、上記ユーザが、上記画像の撮影風景を動画で撮影する動画撮影対象のユーザであるか否かを判定する判定手段と、上記判定手段が動画撮影対象であると判定した場合、ユーザの上記画像の撮影風景を動画で撮影するカメラと、上記カメラが撮影した動画を、写真シール作成装置が生成した画像を管理する管理装置に送信する送信手段と、をさらに備えることが好ましい。
【００１４】
上記の構成によれば、上記写真シール作成装置は、動画撮影対象であるユーザの上記画像の撮影風景を動画で撮影し、撮影した動画を管理装置に送信する。そのため、動画を受信した上記管理装置は、動画撮影対象のユーザ（例えば、モデル等の特定のユーザ）の撮影風景が撮影された動画を利用したサービスをユーザに提供することができる。
【００１５】
また、本発明に係る写真シール作成装置は、上記カメラは、上記入力部が上記ユーザによる上記動画の撮影開始操作または撮影終了操作を受け付けた場合に、上記動画の撮影を開始する、または、撮影を終了することが好ましい。
【００１６】
上記構成によれば、上記写真シール作成装置は、ユーザによる操作に従って、上記動画の撮影を開始したり終了したりする。そのため、動画撮影対象であるユーザは、自身のタイミングで動画を撮影することができ、勝手に動画が撮影されることを防ぐことができる。
【００１７】
また、本発明に係る管理装置は、ユーザの端末装置および上記写真シール作成装置と通信ネットワークを介して接続し、該端末装置で表示できるデータを提供する管理装置であって、上記写真シール作成装置が生成した画像を、カレンダー上における当該画像が撮影された日に掲載したスケジュールページであって、当該画像に撮影されている人物、当該画像が撮影された場所および当該画像を生成した写真シール作成装置の機種の少なくとも何れかを掲載したスケジュールページを作成するページ作成手段を備えることが好ましい。
【００１８】
上記構成によれば、上記管理装置は、上記写真シール作成装置が生成した画像を、カレンダー上における当該画像が撮影された日に掲載したスケジュールページを作成する。すなわち、上記管理装置は、スケジュール帳の態様で上記写真シール作成装置が生成した画像を配置したスケジュールページを作成し、作成したスケジュールページを上記端末装置に提供する。そのため、上記端末装置のユーザは、スケジュール帳の態様で上記写真シール作成装置が生成した画像を閲覧することができる。
【００１９】
また、上記管理装置は、画像に撮影されている人物、画像が撮影された場所および画像を生成した写真シール作成装置の機種の少なくとも何れかをスケジュールページに掲載する。そのため、ユーザは、スケジュールページに掲載されている画像に撮影されている人物、当該画像の撮影場所、当該画像を生成した写真シール作成装置の機種を容易に把握することができる。
【００２０】
また、本発明に係る管理装置において、上記ページ作成手段は、同一のカレンダー上に、上記端末装置のユーザによって選択された複数のユーザの情報を掲載したスケジュールページを作成することが好ましい。
【００２１】
上記構成によれば、上記管理装置は、同一のカレンダー上に、上記端末装置のユーザによって選択された複数のユーザの情報をスケジュールページに掲載する。そのため、上記端末装置のユーザは、所望の複数のユーザの情報を同時に閲覧することができる。
【００２２】
また、本発明に係る管理装置は、上記端末装置からデータを受信する受信手段をさらに備え、上記ページ作成手段は、上記受信手段が受信したデータに基づく情報を掲載したスケジュールページを作成することが好ましい。
【００２３】
上記構成によれば、上記管理装置は、上記端末装置から受信したデータに基づく情報をスケジュールページに掲載する。そのため、ユーザは、端末装置を操作して、端末装置から所定のデータを上記管理装置に送信することにより、上記スケジュールページに任意の情報を掲載することができる。
【００２４】
また、本発明に係る管理装置において、上記受信手段は、上記端末装置から外部サイトを管理するサイト管理装置に送信されたデータを、当該サイト管理装置から受信し、上記ページ作成手段は、上記受信手段が上記サイト管理装置から受信したデータに基づく情報を掲載したスケジュールページを作成することが好ましい。
【００２５】
上記構成によれば、上記管理装置は、上記端末装置から外部サイトを管理するサイト管理装置に送信されたデータに基づく情報をスケジュールページに掲載する。すなわち、上記管理装置は、外部サイトに掲載された情報と同じ内容をスケジュールページに掲載する。そのため、ユーザは、端末装置を操作して、外部サイトに情報を掲載するだけで、上記スケジュールページに同じ内容の情報を掲載することができる。
【発明の効果】
【００２６】
本発明は、ユーザに対して有用なサービスを提供することができるという効果を奏する。
【図面の簡単な説明】
【００２７】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態における管理サーバの画像データベースに保存されている画像に対応付けられている画像管理情報の一例を示す図である。
【図１９】イベント情報と、日時情報および編集情報とが対応付けられたイベント情報変換テーブルの一例を示す図である。
【図２０】本発明の第１実施形態における写真シール作成装置による写真撮影の工程の一例を示すフローチャートである。
【図２１】本発明の第１実施形態における写真シール作成装置による画像編集の工程の一例を示すフローチャートである。
【図２２】本発明の第１実施形態における写真シール作成装置による撮影風景動画の撮影工程の一例を示すフローチャートである。
【図２３】本発明の第１実施形態における管理サーバが作成するスケジュールトップページの一例を示す図である。
【図２４】本発明の第１実施形態における管理サーバが作成するスケジュール詳細ページの一例を示す図である。
【発明を実施するための形態】
【００２８】
〔実施形態１〕
本発明の第１実施形態について、図１〜図２４を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２９】
（撮影画像管理システム１０）
図２は、本発明の第１実施形態に係る撮影画像管理システム１０の構成を示す図である。図２に示すように、撮影画像管理システム１０は、写真シール作成装置１、携帯端末（端末装置）６、および管理サーバ（管理装置）４を備えている。
【００３０】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３１】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３２】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００３３】
また、会員には、無料会員および有料会員（以下では一般会員と称する）と異なるモデル会員がある。画像提供サイトでは、モデル会員が撮影した画像が保存され、一般会員が当該画像を閲覧することができる。一般会員は、モデル会員の画像を見ることにより、写真シール作成装置１の撮影方法を真似たり、モデル会員のファッションを参考にしたりすることができる。なお、一般会員およびモデル会員をユーザと総称する。
【００３４】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００３５】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３６】
画像提供サイトへの画像保存後、ユーザは、携帯端末６または所望の他の装置を用いて画像提供サイトにログインして、画像をダウンロードすることができる。
【００３７】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３８】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００３９】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタ（入力部、表示部）などが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４０】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４４】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４６】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４７】
図３に示す編集部１２の構成を正面側の構成とすると、２組のユーザが同時に編集することができるように、編集部１２の正面側と背面側には編集制御に用いられる構成がそれぞれ設けられる。
【００４８】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５０】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５１】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５２】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５３】
（ユーザの移動）
写真シール作成ゲームの流れと、それに伴うユーザの移動について図５を参照して説明する。図５は、ユーザの移動について説明する図である。
【００５４】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５５】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５６】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００５８】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５９】
画像の印刷が終了したとき、ユーザは、事後接客部１３に設けられた排出口からシール紙を受け取り、一連の写真シール作成ゲームを終えることになる。
【００６０】
（各部材の構成）
次に、写真シール作成装置１に備えられる各部材の構成について説明する。
【００６１】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６２】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６３】
正面パネル４１のほぼ中央には撮影・表示ユニット８１が設けられる。撮影・表示ユニット８１は、カメラ９１、正面ストロボ９２、およびタッチパネルモニタ９３から構成される。
【００６４】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６５】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６６】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６７】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６８】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６９】
足元ストロボ８６の右側には、ユーザがお金を投入する硬貨投入返却口８７が設けられる。
【００７０】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７１】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７２】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７３】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７４】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７５】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７６】
（事後接客部１３）
編集部１２の左側には事後接客部１３が設けられる。図９は、写真シール作成装置１に備えられる事後接客部１３の構成例を示す図である。
【００７７】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００７８】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７９】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８０】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８１】
スピーカ１６５は、事後接客時の案内音声、ＢＧＭ、効果音等の音を出力する。
【００８２】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８３】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８４】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００８５】
通信部２０３はインターネットなどのネットワークのインタフェースであり、制御部２０１による制御に従って外部の装置と通信を行う。
【００８６】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８７】
ＲＯＭ２０６には、制御部２０１において実行されるプログラムおよびデータが記憶されている。ＲＡＭ２０７は、制御部２０１が処理するデータおよびプログラムを一時的に記憶する。
【００８８】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８９】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９０】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９１】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９２】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９３】
カメラ９１は、制御部２０１による制御に従って撮影を行い、撮影によって得られた画像（画像）を制御部２０１に出力する。
【００９４】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００９５】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９６】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９７】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９８】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９９】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１００】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１０１】
（制御部の構成）
図１１は、写真シール作成装置１に備えられる制御部２０１の詳細な構成例を示す機能ブロック図である。この図に示すように、制御部２０１は、通信制御部（出力手段、取得手段、送信手段）３１１、撮影制御部３１２、編集制御部（編集手段）３１３、印刷制御部３１４、および事後接客制御部３１５を備えている。
【０１０２】
通信制御部３１１は、通信部２０３による外部の装置との通信を制御する。通信制御部３１１は、ユーザが画像提供サイトに保存するように指定した画像に、画像ＩＤを対応付けて管理サーバ４に送信する。通信制御部３１１は、ユーザが画像提供サイトに保存するように指定した画像に、さらに、日時情報、機器ＩＤ、撮影設定情報、補正情報、編集情報、ファッションスタイル情報、人物情報等の画像管理情報（タグデータ）を対応付けて管理サーバ４に送信してもよい。
【０１０３】
ここで、画像管理情報とは、写真シール作成装置１で撮影された画像を管理するための情報であり、画像ＩＤ、日時情報、機器ＩＤ、撮影設定情報、補正情報、編集情報、ファッションスタイル情報等を含む。換言すると、画像管理情報とは、画像の属性を示す情報である。画像ＩＤとは、画像を一義的に特定するための情報である。また、日時情報とは、画像が撮影された日時を示す情報である。また、機器ＩＤとは、画像を撮影した写真シール作成装置１を一義的に特定するための情報である。また、撮影設定情報とは、画像撮影時にユーザまたは写真シール作成装置１が設定した内容を示す情報である。換言すると、撮影設定情報は、撮影空間のタッチパネルモニタ９３でユーザが設定する設定内容を示す各種情報を含むものである。例えば、撮影設定情報は、撮影時にユーザが設定する撮影コースの種類、撮影時に合成する背景画像、撮影時に処理される画像処理の種類、カメラ９１の画角、露出、シャッタースピードなどの撮影時の設定、さらに照明の種類、位置、工数などの証明設定などを示すものである。補正情報は、撮影された画像に対する画像補正の補正内容を示す情報である。例えば、補正情報は、目の大きさ、小顔処理などの顔の輪郭の処理、肌の色などの補正内容を示す情報である。また、編集情報とは、ユーザによって画像に合成された編集内容を示す情報である。例えば、編集情報は、スタンプの種類、サイズ、取付位置、角度など、さらにペンの種類、太さ、作画された軌跡点の情報、背景の種類などの情報、名前など文字スタンプの情報、コンテンツの属性、色フィルターなどの画像処理の種類などの情報である。また、ファッションスタイル情報とは、画像に撮影されているユーザのファッションスタイルを示す情報である。ファッションスタイル情報は、具体的には、ユーザのファッションの系統を示す情報であり、例えば、赤文字系雑誌、ギャル系雑誌等、雑誌の種別で分類される系統を示す情報であってよい。人物情報とは、画像に撮影されている人物を示す情報（例えば人物名、会員ＩＤ等）である。
【０１０４】
さらに、画像管理情報は、画像を生成した写真シール作成装置１の機種を示す機種情報、当該写真シール作成装置１の機種のバージョンを示すバージョン情報、当該写真シール作成装置１が設置されている店舗を示す設置店舗情報等を含んでいてもよい。
【０１０５】
なお、通信制御部３１１は、機器ＩＤの代わりに、ユーザの携帯端末６の位置を示す端末位置情報（例えば、ＧＰＳ情報等）または写真シール作成装置１の設置位置を示す設置位置情報等を画像に対応付けて送信してもよい。
【０１０６】
ここで、写真シール作成装置１が生成する画像には、３種類の画像がある。具体的には、（１）撮影制御部３１２がカメラ９１から取得する撮影画像、（２）撮影制御部３１２が撮影画像を補正した補正画像、および、（３）編集制御部３１３が、ユーザの操作に基づいて、撮影画像または補正画像を編集した編集画像である。この撮影画像、補正画像および編集画像を、生成画像と総称する。なお、撮影画像は、換言すると、カメラ９１が撮影した画像である。また、補正画像とは、撮影制御部３１２により、例えば、撮影画像に撮影されている人物の顔部位等が補正された画像である。より詳細には、補正画像は、目の大きさ、顔の大きさ（小顔処理）、およびその他の部位の大きさ、並びに部位の色等が修正された画像である。編集画像とは、例えば、編集落書き処理により、フレーム背景など合成画像が合成され、スタンプ画像またはペン画像が追記され、さらに色補正などが加えられた画像である。
【０１０７】
通信制御部３１１は、管理サーバ４に撮影画像、補正画像および編集画像の少なくとも１種の画像を送信する。
【０１０８】
また、通信制御部３１１は、撮影制御部３１２から入力された撮影風景動画をリアルタイムで管理サーバ４に送信してもよい。また、通信制御部３１１は、管理サーバ４の要求に応じて、記憶部２０２から撮影風景動画を読み出し、読み出した撮影風景動画を管理サーバ４に送信してもよい。また、通信制御部３１１は、会員ＩＤ等を対応付けて撮影風景動画を管理サーバ４に送信してもよい。ここで、撮影風景動画とは、撮影作業の工程中におけるユーザの様子（撮影風景）を撮影した動画である。また、通信制御部３１１は、編集風景動画および編集過程動画も撮影風景動画と同様に管理サーバ４に送信してもよい。
【０１０９】
また、通信制御部３１１は、管理サーバ４から、ユーザの画像および当該画像に対応付けられている画像管理情報、並びにユーザのユーザ特定情報等を受信し、受信したデータを記憶部２０２の画像データベース３４２および会員データベース３４１にそれぞれ格納する。
【０１１０】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像ＩＤおよび画像が撮影された日時に関する日時情報を生成することもできる。
【０１１１】
具体的には、撮影制御部３１２は、カメラ制御部（カメラ制御手段）３２１、画像補正部（補正手段）３２２および表示制御部（表示制御手段）３２３を備える。カメラ制御部３２１は、カメラ９１を制御して、所定の設定内容でカメラ９１にユーザを撮影させる。カメラ制御部３２１は、カメラ９１が撮影した画像を取得し、取得した画像を画像補正部３２２に出力する。画像補正部３２２は、カメラ制御部３２１から画像を取得し、カメラ９１が撮影した画像を所定の補正内容で補正する。画像補正部３２２は、補正した画像を編集制御部３１３に出力する。表示制御部３２３は、撮影作業の工程中にカメラ９１が撮影しているユーザの動画像をタッチパネルモニタ９３にライブビュー表示させる。また、表示制御部３２は、ユーザに設定内容および補正内容を選択させるための設定選択画像をタッチパネルモニタ９３に表示させる。
【０１１２】
より詳細には、カメラ制御部３２１は、ユーザの選択操作に基づいて、例えば、明るさ等の設定内容を設定し、設定した設定内容でカメラ９１にユーザを撮影させる。このとき、カメラ制御部３２１は、設定した設定内容を示す撮影設定内情報を生成し、撮影した画像に撮影設定情報を対応付ける。また、画像補正部３２２は、ユーザの選択操作に基づいて、例えば、肌の色および目の大きさの補正の有無およびその補正の程度等の補正内容を設定し、カメラ９１が撮影した画像を、設定した補正内容で補正する。このとき、画像補正部３２２は、設定した補正内容を示す補正情報を生成し、補正した画像に補正情報を対応付ける。なお、カメラ制御部３２１および画像補正部３２２は、それぞれ、設定内容、補正内容を、ユーザの選択操作によらず、自動的に設定してもよい。
【０１１３】
また、撮影制御部３１２は、図１１に示すように、ユーザ判定部（判定手段）３２４を備えていてもよい。ユーザ判定部３２４は、ユーザが、撮影風景を動画で撮影する対象（動画撮影対象）であるか否かを判定する。ユーザ判定部３２４は、判定結果をカメラ制御部３２１に出力する。例えば、ユーザ判定部３２４は、ユーザが入力した会員ＩＤに基づいて、動画撮影対象のユーザであるか否かを判定してもよい。ユーザの特定方法はこれに限らず、任意でよい。
【０１１４】
カメラ制御部３２１は、ユーザ判定部３２４が動画撮影対象のユーザであると判定した場合、カメラ９１および／または他のカメラ（不図示）に、撮影作業の工程中におけるユーザの様子である撮影風景を動画で撮影させてもよい。具体的には、写真シール作成装置１の本来の撮影作業とは別に、ユーザの撮影状況を撮影し、その動画を取得する。カメラ制御部３２１は、カメラ９１等から取得した撮影風景動画をリアルタイムで通信制御部３１１に出力してもよいし、記憶部２０２の動画データベース３４３に格納してもよい。これにより、ユーザの撮影時の楽しむ状況がわかる動画が生成される。
【０１１５】
また、カメラ制御部３２１は、撮影風景動画を、撮影されているユーザと対応付けてもよい。具体的には、カメラ制御部３２１は、カメラ９１等から取得した撮影風景動画にユーザの会員ＩＤ等を対応付けて、通信制御部３１１に出力したり、記憶部２０２の動画データベース３４３に格納したりする。なお、複数のユーザがいる場合、カメラ制御部３２１は、複数のユーザの会員ＩＤ等を入力させて、撮影風景動画に複数の会員ＩＤ等を対応付けてもよい。
【０１１６】
さらに、カメラ制御部３２１は、撮影風景動画と、動画撮影時に写真シール作成装置で生成された画像とを対応付けてもよい。例えば、カメラ制御部３２１は、撮影風景動画に画像ＩＤ等を対応付けてもよい。また、カメラ制御部３２１は、写真シール作成装置で生成された画像に、撮影風景動画を一義的に特定するための動画ＩＤを対応付けてもよい。
【０１１７】
また、カメラ制御部３２１は、撮影風景動画を自動的に撮影させてもよい。この場合、カメラ制御部３２１は、撮影画像の撮影時の設定内容を設定する選択操作のいずれかのボタンに際に撮影風景動画の撮影を開始し、さらに撮影画像の撮影後の所定のタイミングまたは、撮影後の選択操作の際に撮影風景動画の撮影終了を行ってもよい。また、カメラ制御部３２１は、ユーザの指示を受けて、撮影風景動画の撮影を開始、終了させてもよい。具体的には、表示制御部３２３は、タッチパネルモニタ９３に撮影風景動画の撮影開始ボタンおよび撮影終了ボタンを表示させる。タッチパネルモニタ９３が撮影開始ボタンまたは撮影終了ボタンに対するユーザの操作を検出すると、カメラ制御部３２１は、タッチパネルモニタ９３からの信号に基づいて、撮影風景動画の撮影開始または撮影終了をカメラ９１等に指示する。なお、表示制御部３２３が撮影開始ボタンを表示させた場合であっても、当該撮影開始ボタンを押さない状態で、撮影画像の撮影が始まる場合は、カメラ制御部３２１は、自動的に、撮影風景動画の撮影を開始してもよい。ただし、この場合、表示制御部３２３は撮影中止のボタンを表示させ、中止のボタンは押された場合は、カメラ制御部３２１は、撮影を中止し、取得した途中の撮影風景動画を削除する。また、撮影終了ボタンが押されずに、撮影画像の撮影が終了した場合は、カメラ制御部３２１は、撮影画像の撮影終了時の所定のタイミングで、自動的に撮影風景動画の撮影を終了してもよい。この場合、カメラ制御部３２１は、取得した動画を、正常に取得されたものとして扱う。
【０１１８】
また、表示制御部３２３は、撮影作業の工程中にカメラ９１が撮影しているユーザの動画像をタッチパネルモニタ９３にライブビュー表示させる場合、記憶部２０２の画像データベース３４２に格納されている、過去に写真シール作成装置１（ユーザが使用している写真シール作成装置１および他の写真シール作成装置１を含む）で撮影された画像を、ユーザのライブビュー（動画像）に重畳させて表示させてもよい。例えば、表示制御部３２３は、過去に写真シール作成装置１で撮影された画像を半透明にしてタッチパネルモニタ９３に表示させてよい。また、表示制御部３２３は、過去に写真シール作成装置１で撮影された画像を、ライブビュー画像の近傍に隣接させてタッチパネルモニタ９３に表示させてよい。また、表示制御部３２３は、過去に写真シール作成装置１で撮影されたモデル会員の画像を表示させてよい。また、ユーザがお気に入りのモデル会員や他の一般会員を登録している場合、表示制御部３２３は、過去に写真シール作成装置１で撮影された、ユーザが登録している他のユーザの画像を表示させてよい。また、表示制御部３２３は、過去に写真シール作成装置１で撮影された、ユーザ自身の画像を表示させてよい。
【０１１９】
これにより、ユーザは、指定した画像と、同じ（被写体の）ポーズおよび構図等で撮影することができる。例えば、ユーザは、好きなモデル会員またはお気に入りのユーザの画像のポーズおよび構図等を容易に真似る（再現する）ことができる。
【０１２０】
また、撮影制御部３１２は、ユーザが選択した画像に対応付けられている撮影設定情報の示す設定内容に設定して、撮影作業の工程を実行してもよい。具体的には、表示制御部３２３は、過去に写真シール作成装置１で撮影された画像をユーザに選択させるための選択画像をタッチパネルモニタ９３に表示させる。タッチパネルモニタ９３が所定の画像に対するユーザの選択操作を検出すると、カメラ制御部３２１は、ユーザが選択した画像に対応付けられている撮影設定情報の示す設定内容で、カメラ９１に撮影させてもよい。また、画像補正部３２２は、ユーザが選択した画像に対応付けられている補正情報の示す補正内容で、カメラ９１が撮影した画像を補正してもよい。このとき、表示制御部３２３は、タッチパネルモニタ９３にユーザが選択した画像を表示してもよい。さらに、表示制御部３２３は、ユーザが選択した画像の撮影時に撮影された撮影風景動画もタッチパネルモニタ９３で再生してもよい。
【０１２１】
また、このとき、カメラ制御部３２１は、ユーザの操作に基づいて、撮影風景動画にスタンプ等の落書きを合成したり、動画の背景を変える合成やＶＦＸ（Visual Effects）合成を行ってもよい。
【０１２２】
これにより、ユーザは、指定した画像と同じ設定内容および補正内容の画像を容易に取得することができる。例えば、ユーザは、好きなモデル会員またはお気に入りのユーザの画像を容易に真似る（再現する）ことができる。
【０１２３】
編集制御部３１３は、編集部１２Ａおよび編集部１２Ｂによる画像に対する落書き編集等、写真シール作成ゲームにおけるユーザの編集制御に関する処理を制御する。具体的には、編集制御部３１３は、撮影制御部３１２から画像を取得し、ユーザの編集操作に基づいて、取得した画像を編集する。
【０１２４】
編集制御部３１３は、撮影した画像に対応付けるタグデータとして、編集情報を生成してもよい。例えば、編集制御部３１３は、ユーザによって画像に合成されたスタンプ、背景画像およびフレーム（前景画像）の種別およびその画像上の位置を示す情報（スタンプ情報、背景情報およびフレーム情報）を編集情報として生成してよい。また、編集制御部３１３は、入力された軌跡等に基づいて、ユーザによって画像に合成された文字列およびその画像上の位置を示す文字列情報を編集情報として生成してもよい。また、編集制御部３１３は、画像の色調補正処理（モノクロまたはセピア等）の内容を示す色調補正情報を編集情報として生成してもよい。すなわち、編集情報とは、スタンプ情報、背景情報、フレーム情報、文字列情報および色調補正情報等を少なくとも１つ含む情報である。
【０１２５】
編集制御部３１３は、表示制御部（表示制御手段）３３１を備える。表示制御部３３１は、編集作業の工程中に、ユーザに編集内容を指定させるための編集画像をタブレット内蔵モニタ（入力部、表示部）１３１に表示させる。
【０１２６】
また、編集制御部３１３は、ユーザが選択した画像に対応付けられている編集情報の示す編集内容で、撮影制御部３１２から取得した画像を編集してもよい。具体的には、表示制御部３３１は、過去に写真シール作成装置１で撮影された画像をユーザに選択させるための選択画像をタブレット内蔵モニタ１３１に表示させる。タブレット内蔵モニタ１３１が所定の画像に対するユーザの選択操作を検出すると、編集制御部３１３は、ユーザが選択した画像に対応付けられている編集情報の示す編集内容で、撮影制御部３１２から取得した画像を編集してもよい。このとき、表示制御部３３１は、タブレット内蔵モニタ１３１にユーザが選択した画像を表示してもよい。さらに、表示制御部３３１は、ユーザが選択した画像の編集時に撮影された編集風景動画および編集過程動画もタブレット内蔵モニタ１３１で再生してもよい。
【０１２７】
また、編集制御部３１３は、上記ユーザ判定部３２４と同じ機能を有し、撮影風景動画と同様に、編集作業の工程中における動画撮影対象のユーザの様子（編集風景）を動画で撮影し、編集風景動画を取得してもよい。この場合、編集部１２Ａおよび編集部１２Ｂは、編集風景動画を撮影するためのカメラ（不図示）を別途備える。また、編集制御部３１３は、編集作業の工程中にタブレット内蔵モニタ１３１に表示される編集過程の画像を編集過程動画として取得してもよい。編集過程動画とは、編集画像が生成する過程を示す動画であって、ユーザの編集操作の過程を示す動画である。
【０１２８】
これにより、ユーザは、指定した画像と同じ編集内容の画像を容易に取得することができる。例えば、ユーザは、好きなモデル会員またはお気に入りのユーザの画像の落書き等を容易に真似る（再現する）ことができる。
【０１２９】
印刷制御部３１４は、印刷部２１１における、シール紙の印刷等の写真シール作成ゲームの印刷の工程に関する処理を制御する。
【０１３０】
事後接客制御部３１５は、事後接客部１３による、編集作業を終了したユーザグループを接客する処理等、写真シール作成ゲームにおける事後接客に関する処理を制御する。
【０１３１】
事後接客制御部３１５は、詳細は後述するが、事後接客の工程においてユーザが入力した情報に基づいて、ファッションスタイル情報、人物情報等を生成してもよい。また、事後接客制御部３１５は、詳細は後述するが、事後接客の工程において、ユーザの所有する携帯端末６から端末位置情報を取得してもよい。
【０１３２】
（記憶部２０２の詳細）
図１１に示すように、記憶部２０２は、会員データベース３４１、画像データベース３４２および動画データベース３４３を有している。
【０１３３】
（会員データベース３４１）
会員データベース３４１は、写真シール作成装置１が管理サーバ４から受信したユーザ特定情報が、ユーザ別に格納されている。ユーザ特定情報について詳細は後述する。
【０１３４】
（画像データベース３４２）
画像データベース３４２は、写真シール作成装置１が管理サーバ４から受信したユーザの画像、および／または、写真シール作成装置１が過去に生成した画像を格納している。画像データベース３４２には、画像が、会員データベース３４１に会員として登録されているユーザごとに区別されて格納されている。
【０１３５】
（動画データベース３４３）
動画データベース３４３は、写真シール作成装置１によって撮影された撮影風景動画、編集風景動画および編集過程動画を格納している。動画データベース３４３には、撮影風景動画、編集風景動画および編集過程動画が撮影されているユーザに対応付けられて格納されていてもよい。
【０１３６】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１３７】
（制御部４０１の詳細）
図１に示すように、制御部４０１は、通信制御部（受信手段）４１１、メール作成部４１２、ウェブページ作成部（ページ作成手段）４１３、画像管理部４１４、写真シール作成装置管理部４１５、動画管理部４１６およびユーザ情報管理部４１７を備えている。
【０１３８】
（通信制御部４１１）
通信制御部４１１は、通信部４０３による通信を制御する。
【０１３９】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１４０】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１４１】
具体的には、ウェブページ作成部４１３は、画像データベース４２４に保存されている複数の画像を携帯端末６が表示するための画像一覧ページを作成する。より具体的には、ウェブページ作成部４１３は、会員ＩＤ（ユーザ）ごとに、当該会員ＩＤに対応付けられている画像を表示するための画像一覧ページを作成する。
【０１４２】
また、上記画像一覧ページは複数のフォルダを含み、各画像は、画像の属性に応じたフォルダに格納されていてもよい。例えば、ウェブページ作成部４１３は、イベント情報またはスタンプ情報が「ハロウィーン」である画像は、「ハロウィーン」フォルダに格納する。また、ウェブページ作成部４１３は、例えば、ファッションスタイル情報に基づいて、各画像を「赤文字系雑誌」フォルダ、「ギャル系雑誌」フォルダに格納してもよい。
【０１４３】
具体的には、ウェブページ作成部４１３は、撮影風景動画、編集風景動画および／または編集過程動画を掲載した動画閲覧ページを作成する。ウェブページ作成部４１３は、動画データベース４２５から撮影風景動画、編集風景動画および／または編集過程動画を読み出して、動画閲覧ページを作成してもよい。また、ウェブページ作成部４１３は、通信制御部４１１から撮影風景動画、編集風景動画および／または編集過程動画をリアルタイムで取得して、動画閲覧ページにおいてストリーミング配信を行ってもよい。
【０１４４】
なお、特定のユーザ（例えば、有料会員）だけが、動画閲覧ページにアクセスできるようにしてもよい。
【０１４５】
また、ウェブページ作成部４１３は、写真シール作成装置１が生成した画像を、カレンダー上における当該画像が撮影された日に掲載したスケジュールページであって、当該画像に撮影されている人物、当該画像が撮影された場所および当該画像を生成した写真シール作成装置１の機種の少なくとも何れかを掲載したスケジュールページを作成する。
【０１４６】
また、ウェブページ作成部４１３は、同一のカレンダー上に、携帯端末６のユーザによって選択された複数のユーザの情報を掲載したスケジュールページを作成してもよい。また、ウェブページ作成部４１３は、携帯端末６から受信したデータに基づく情報を掲載したスケジュールページを作成してもよい。また、携帯端末６が外部サイトを管理するサイト管理装置（不図示）に情報を掲載するためにデータを送信した場合、ウェブページ作成部４１３は、サイト管理装置から携帯端末６が送信したデータを受信し、携帯端末６からサイト管理装置に送信されたデータに基づく情報を掲載したスケジュールページを作成してもよい。
【０１４７】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１４８】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。また、画像管理部４１４は、画像に対応付けられている画像管理情報も画像データベース４２４に保存する。さらに、画像管理部４１４は、新たな情報を生成して、画像管理情報に含めてもよい。
【０１４９】
ここで、画像データベース４２４に保存される画像に対応付けられている画像管理情報について図１８に基づいて説明する。図１８は、画像管理情報の一例を示す図である。図１８に示すように、画像管理情報は、「画像ＩＤ」、「撮影設定情報」、「補正情報」、「編集情報」、「ファッションスタイル情報」、「イベント情報」、「人物情報」および「撮影場所情報」を含む。
【０１５０】
「画像ＩＤ」は、写真シール作成装置１から送信された画像に対応付けられた画像ＩＤである。図１８に示す例では、「画像ＩＤ」は、撮影日時、機器ＩＤ、および、その撮影日時で示される年月日に、その機器ＩＤの示す写真シール作成装置１で撮影された撮影画像に対して連続的に振られる番号である連番から構成される。すなわち、図１８に示す例では、画像ＩＤに日時情報および機器ＩＤが含まれる。
【０１５１】
なお、画像管理部４１４は、日時情報として、撮影日時の代わりに、画像が管理サーバ４に保存された日時を使用してもよい。すなわち、図１８に示す例において、画像ＩＤに、保存日時が含まれていてもよい。
【０１５２】
「撮影設定情報」、「補正情報」、「編集情報」、「ファッションスタイル情報」は、上記で説明した通りである。
【０１５３】
「イベント情報」は、画像に関連するイベントを示す情報である。画像管理部４１４は、図１９に示すイベント情報変換テーブルを参照して、画像に対応付けられた日時情報または編集情報等に対応するイベント情報を特定して、当該画像のイベント情報を生成する。図１９に示すイベント情報変換テーブルは一例であり、日時情報、編集情報等と、イベント情報との対応関係を規定する情報であればどのようなものであってよい。
【０１５４】
このように、画像にイベント情報を対応付けることにより、画像をイベント情報によって分類することができる。そのため、ウェブページ作成部４１３は、イベントの種別毎のフォルダを作成し、各フォルダに画像を分類して画像一覧ページを作成することができる。
【０１５５】
「人物情報」は、上述のように、画像に撮影されている人物を示す情報（例えば人物名、会員ＩＤ）である。画像管理部４１４は、写真シール作成装置１から送信される画像管理情報に人物情報が含まれない場合、画像を解析して、「人物情報」を生成してもよい。この場合、画像から人物を特定するための情報、例えば、人物情報（人物名、会員ＩＤ）と、各人物撮像されている画像（基準画像）とが対応付けられた情報等が記憶部４０２に予め記憶されている。また、画像管理部４１４は、画像を解析して、画像に書き込まれた文字列から人物を特定してもよい。
【０１５６】
なお、図１８に示す例では、「人物情報」には、画像の所有者であるユーザを示す情報を含まず、画像に撮影されているユーザ以外の人物を示す情報のみが記述される。ただし、これに限るものではなく、「人物情報」に、画像の所有者であるユーザを含めた人物を記述してもよい。
【０１５７】
「撮影場所情報」は、画像が撮影された場所を示す情報である。画像管理部４１４は、写真シール作成装置１から送信される、画像に対応付けられた機器ＩＤ、端末位置情報または設置位置情報に基づいて、「撮影場所情報」を生成する。例えば、画像管理部４１４は、機器ＩＤ、端末位置情報または設置位置情報と、撮影場所情報とが対応付けられた撮影場所変換テーブルを参照し、機器ＩＤ、端末位置情報または設置位置情報に対応する撮影場所情報を特定して、「撮影場所情報」を生成してもよい。また、画像管理部４１４は、端末位置情報または設置位置情報をそのまま撮影場所情報としてもよい。
【０１５８】
また、ユーザは、写真シール作成装置１が生成した画像以外の画像を管理サーバ４に携帯端末６等から保存可能である。例えば、ユーザは、他の装置、ウェブサイト、アプリケーションによって生成・加工・編集等された画像を画像提供サイト（管理サーバ４）に保存可能である。この場合、画像管理部４１４は、写真シール作成装置１によって生成された画像以外の画像も、画像管理情報を生成して画像データベース４２４に保存する。
【０１５９】
（写真シール作成装置管理部４１５）
写真シール作成装置管理部４１５は、１または複数の写真シール作成装置１を管理する。具体的には、写真シール作成装置管理部４１５は、所定のタイミングで、記憶部４０２の画像データベース４２４からユーザの画像、および会員データベース４２２からユーザ特定情報を読み出し、読み出した画像およびユーザ特定情報を写真シール作成装置１に送信する。写真シール作成装置管理部４１５は、例えば、画像データベース４２４および／または会員データベース４２２が更新（追加・修正）された場合に、ユーザの画像および／またはユーザ特定情報を写真シール作成装置１に送信してよい。また、写真シール作成装置管理部４１５は、一定期間毎に、ユーザの画像およびユーザ特定情報を写真シール作成装置１に送信してよい。また、写真シール作成装置管理部４１５は、写真シール作成装置１からリクエストを受信した場合に、ユーザの画像およびユーザ特定情報を写真シール作成装置１に送信してよい。なお、写真シール作成装置管理部４１５は、画像と共に、対応付けられている画像管理情報も写真シール作成装置１に送信する。
【０１６０】
（動画管理部４１６）
動画管理部４１６は、写真シール作成装置１から送信された撮影風景動画、編集風景動画および編集過程動画を管理する。動画管理部４１６は、写真シール作成装置１から送信された撮影風景動画、編集風景動画および編集過程動画を記憶部４０２の動画データベース４２５に格納する。
【０１６１】
また、動画管理部４１６は、ユーザの操作に基づいて、撮影風景動画、編集風景動画および編集過程動画にスタンプ等の落書きを合成したり、動画の背景を変える合成やＶＦＸ（Visual Effects）合成を行ってもよい。
【０１６２】
（ユーザ情報管理部４１７）
ユーザ情報管理部４１７は、携帯端末６またはＳＮＳもしくはＢＬＯＧ等の外部サイトを管理するサイト管理装置（不図示）から取得した、ユーザに関する情報を管理する。具体的には、ユーザ情報管理部４１７は、携帯端末６またはサイト管理装置から取得したユーザに関する情報を記憶部４０２のユーザ情報データベース４２６に格納する。
【０１６３】
（記憶部４０２の詳細）
図１に示すように、記憶部４０２は、メールデータベース４２１、会員データベース４２２、ウェブページデータベース４２３、および画像データベース４２４を有している。
【０１６４】
（メールデータベース４２１）
メールデータベース４２１は、ユーザに送信するメールを作成するための各種データを格納している。
【０１６５】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員、無料会員およびモデル会員などを挙げることができる。
【０１６６】
また、ユーザ特定情報は、ユーザが登録したお気に入りのユーザ（モデル会員または他の一般会員）を含んでいてよい。
【０１６７】
（ウェブページデータベース４２３）
ウェブページデータベース４２３は、携帯端末６に表示される画像提供サイトのウェブページを作成するための各種データを格納している。
【０１６８】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１６９】
図示はしないが、記憶部４０２は、写真シール作成装置１から受信した画像などのデータを一時的に保存する一時保存データベースも有している。
【０１７０】
また、上述のように、画像データベース４２４は、写真シール作成装置１によって生成された画像以外の画像および当該画像に対応付けられた画像管理情報を格納してもよい。
【０１７１】
（動画データベース４２５）
動画データベース４２５は、写真シール作成装置１によって撮影された撮影風景動画、編集風景動画および編集過程動画を格納している。動画データベース４２５には、撮影風景動画、編集風景動画および編集過程動画が撮影されているユーザに対応付けられて格納されていてもよい。
【０１７２】
（ユーザ情報データベース４２６）
ユーザ情報データベース４２６は、携帯端末６またはサイト管理装置から送信されたユーザに関する情報をユーザ毎に格納している。ここで、ユーザに関する情報とは、画像データ、テキストデータ、動画データ、音声データ等、任意のデータである。また、携帯端末６からサイト管理装置に送信された、外部サイトにアップロードした情報等を含む。すなわち、ユーザ情報データベース４２６は、ユーザ個人のデータをストレージするものである。
【０１７３】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１７４】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１７５】
（制御部６０１の詳細）
図１２に示すように、制御部６０１は、通信制御部６１１、入力制御部６１２、および表示制御部６１３を備えている。
【０１７６】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１７７】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１７８】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１７９】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１８０】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１８１】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１８２】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１８３】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１８４】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１８５】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１８６】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１８７】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１８８】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１８９】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１９０】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１９１】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１９２】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１９３】
なお、写真シール作成装置１は、管理サーバ４が画像ＩＤおよびシールＩＤの作成に使用するアルゴリズムと同じアルゴリズムを用いて、通信によらない付帯情報で画像ＩＤおよびシールＩＤを作成してもよい。この場合、写真シール作成装置１は、管理サーバ４が画像ＩＤおよびシールＩＤを作成することなく、画像ＩＤおよびシールＩＤを得ることができ、かつ、管理サーバ４は、写真シール作成装置１が作成した画像ＩＤおよびシールＩＤを適切に認識して、対応する一時保管データベースに保存された画像を特定できる。例えば、シールＩＤは、撮影日時および機器ＩＤから生成され、画像ＩＤは、撮影日時、機器ＩＤおよび連番から生成されるものとする。
【０１９４】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１９５】
さらに、事後接客制御部３１５は、撮影した画像の属性をユーザが入力するための入力画面をタブレット内蔵モニタ１６１に表示させてもよい。例えば、事後接客制御部３１５は、画像の編集内容、画像に撮影されている人物、画像に撮影されている被写体のファッションスタイル、画像に関連するイベント等をユーザが入力するための入力画面をタブレット内蔵モニタ１６１に表示させて、ユーザが入力した情報に基づいて、編集情報、人物情報、ファッションスタイル情報、イベント情報等を生成してもよい。
【０１９６】
また、事後接客制御部３１５は、ユーザの所有する携帯端末６から端末位置情報を取得してもよい。事後接客制御部３１５は、非接触型ＩＣリーダ／ライタ１６３等の通信手段を介して、携帯端末６と通信を行い、携帯端末６から端末位置情報を取得してもよい。
【０１９７】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１９８】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１９９】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０２００】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０２０１】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０２０２】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０２０３】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０２０４】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０２０５】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０２０６】
図１５（ｃ）に示すように、ウェブページ１１０７は、一つのサムネイル画像１１０４、および、全ての画像を保存するためのリンク画像１１０８を含んでいる。
【０２０７】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０２０８】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０２０９】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０２１０】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０２１１】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０２１２】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０２１３】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０２１４】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０２１５】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０２１６】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０２１７】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０２１８】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０２１９】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０２２０】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０２２１】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０２２２】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０２２３】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０２２４】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０２２５】
携帯端末６の通信制御部６１１は、通信部６０３を通じて、送信された画像を受信し、記憶部６０２に保存する（ステップＳ３２）。以上により、携帯端末６への画像保存処理が完了する。
【０２２６】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０２２７】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０２２８】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０２２９】
（写真撮影の工程の変形例）
上記のＳ２の写真撮影の工程の変形例について、図２０に基づいて説明する。図２０は、写真撮影の工程の一例を示すフローチャートである。ここでは、ユーザにモデル会員の画像を選択させ、ユーザが選択した画像に基づいて、撮影制御部３１２が処理を実行する例を示す。
【０２３０】
硬貨が投入された後、図２０に示すように、まず、表示制御部３２３は、記憶部２０２の会員データベース３４１に記憶されているデータを読み出して、ユーザに複数のモデル会員の中から一のモデル会員を選択させるためのモデル選択画像を生成する。表示制御部３２３は、生成したモデル選択画像をタッチパネルモニタ９３に表示させる（Ｓ４１）。
【０２３１】
次に、表示制御部３２３は、タッチパネルモニタ９３からユーザの選択操作を示す信号が送信されるのを待つ（Ｓ４２）。ここで、タッチパネルモニタ９３がユーザの選択操作を検出し、ユーザの選択操作（所定のモデル会員）を示す信号を表示制御部３２３に送信すると（Ｓ４２でＹＥＳ）、表示制御部３２３は、記憶部２０２の画像データベース３４２に記憶されているデータを読み出して、ユーザが選択したモデル会員の画像の中から一の画像を選択させるための選択画像を生成する。表示制御部３２３は、生成した選択画像をタッチパネルモニタ９３に表示させる（Ｓ４３）。
【０２３２】
次に、表示制御部３２３は、タッチパネルモニタ９３からユーザの選択操作を示す信号が送信されるのを待つ（Ｓ４４）。ここで、タッチパネルモニタ９３がユーザの選択操作を検出し、ユーザの選択操作（所定の画像）を示す信号を表示制御部３２３に送信すると（Ｓ４４でＹＥＳ）、表示制御部３２３は、カメラ９１に取り込まれた被写体の動画像をタッチパネルモニタ９３にライブビュー表示させると共に、そのライブビューにユーザが選択した画像（半透明）を重畳させて表示させる（Ｓ４５）。なお、表示制御部３２３は、ライブビュー画像とユーザが選択した画像とを重畳させず、ライブビュー画像の近傍に隣接させて、ユーザが選択した画像をタッチパネルモニタ９３に表示させてもよい。
【０２３３】
また、カメラ制御部３２１は、ユーザによる撮影操作にしたがって、ユーザが選択した画像に対応付けられている撮影設定情報の示す設定内容で、カメラ９１に撮影させる（Ｓ４６：撮影ステップ）。カメラ制御部３２１は、カメラ９１から撮影画像を取得し、取得した撮影画像を画像補正部３２２に出力する。そして、画像補正部３２２は、カメラ制御部３２１から撮影画像を取得すると、ユーザが選択した画像に対応付けられている補正情報の示す補正内容で、取得した撮影画像を補正する（Ｓ４７：補正ステップ）。
【０２３４】
なお、図２０に示す例では、モデル会員の画像の中からユーザに選択させているが、これに限るものではない。後述のように、ユーザがログインした場合、ユーザのお気に入りのユーザの画像、または、ユーザ自身の画像の中から選択させてもよい。
【０２３５】
また、ライブビューに重畳させる画像、設定内容を設定するための画像、補正内容を設定するための画像について、それぞれ異なる画像をユーザに選択させてもよい。
【０２３６】
（画像編集の工程の変形例）
上記のＳ３の画像編集の工程の変形例について、図２１に基づいて説明する。図２１は、画像編集の工程の一例を示すフローチャートである。ここでは、ユーザにログインさせて、ユーザにお気に入りのユーザの画像を選択させ、ユーザが選択した画像に基づいて、編集制御部３１３が処理を実行する例を示す。
【０２３７】
編集空間への案内の終了後、図２１に示すように、まず、編集制御部３１３の表示制御部３３１は、ユーザを認証するためのログイン画像を生成して、タブレット内蔵モニタ１３１にログイン画像を表示させる（Ｓ５１）。ユーザが会員ＩＤおよびパスワード等を入力してログインが完了すると（Ｓ５２）、表示制御部３３１は、記憶部２０２の会員データベース３４１を参照して、ログインしたユーザのお気に入りのユーザを特定する。そして、表示制御部３３１は、ユーザにお気に入りのユーザの中から一のユーザを選択させるためのユーザ選択画像を生成する。表示制御部３３１は、生成したユーザ選択画像をタブレット内蔵モニタ１３１に表示させる（Ｓ５３）。
【０２３８】
次に、表示制御部３３１は、タブレット内蔵モニタ１３１からユーザの選択操作を示す信号が送信されるのを待つ（Ｓ５４）。ここで、タブレット内蔵モニタ１３１がユーザの選択操作を検出し、ユーザの選択操作（所定のユーザ）を示す信号を表示制御部３３１に送信すると（Ｓ５４でＹＥＳ）、表示制御部３３１は、記憶部２０２の画像データベース３４２に記憶されているデータを読み出して、ユーザが選択したユーザの画像の中から一の画像を選択させるための選択画像を生成する。表示制御部３３１は、生成した選択画像をタブレット内蔵モニタ１３１に表示させる（Ｓ５５）。
【０２３９】
次に、編集制御部３１３は、タブレット内蔵モニタ１３１からユーザの選択操作を示す信号が送信されるのを待つ（Ｓ５６）。ここで、タブレット内蔵モニタ１３１がユーザの選択操作を検出し、ユーザの選択操作（所定の画像）を示す信号を編集制御部３１３に送信すると（Ｓ５６でＹＥＳ）、編集制御部３１３は、Ｓ５６においてユーザが選択した画像に対応付けられている編集情報の示す編集内容で、撮影制御部３１２から取得した画像を編集する（Ｓ５７：編集ステップ）。そして、通信制御部３１１は、編集制御部３３１が編集した画像を管理サーバ４に送信する（出力ステップ）。
【０２４０】
なお、図２１に示す例では、お気に入りのユーザの画像の中からユーザに選択させているが、これに限るものではない。例えば、ユーザ自身の画像の中から選択させてもよいし、上述のように、モデル会員の画像の中から選択させてもよい。
【０２４１】
また、既に写真撮影の工程において、ユーザが画像を選択している場合、Ｓ５１〜Ｓ５６の処理を省略して、編集制御部３１３は、写真撮影の工程においてユーザが選択した画像に対応付けられている編集情報に基づいて編集してもよい。
【０２４２】
（撮影風景動画の撮影工程）
撮影風景動画の撮影工程について、図２２に基づいて説明する。図２２は、撮影風景動画の撮影工程の一例を示すフローチャートである。ここでは、モデル会員を動画撮影対象のユーザとする。ただし、動画撮影対象のユーザはモデル会員に限るものではなく、予め定めた特定のユーザであればよい。
【０２４３】
写真撮影の工程が開始すると、または写真撮影の工程中に、図２２に示すように、まず、撮影制御部３１２の表示制御部３２３は、ユーザを認証するためのログイン画像を生成して、タッチパネルモニタ９３にログイン画像を表示させる（Ｓ６１）。ユーザが会員ＩＤおよびパスワード等を入力してログインが完了すると（Ｓ６２）、ユーザ判定部３２４は、記憶部２０２の会員データベース３４１を参照して、ログインしたユーザが動画撮影対象のユーザ、つまり、モデル会員であるか否かを判定する（Ｓ６３：判定ステップ）。
【０２４４】
ユーザ判定部３２４が動画撮影対象のユーザであると判定すると（Ｓ６３でＹＥＳ）、表示制御部３２３は、タッチパネルモニタ９３に撮影風景動画の撮影開始ボタンおよび撮影終了ボタンを表示させる（Ｓ６４）。カメラ制御部３２１は、タッチパネルモニタ９３からユーザの撮影開始操作を示す信号が送信されるのを待つ（Ｓ６５）。ここで、タッチパネルモニタ９３がユーザの撮影開始操作を検出し、ユーザの撮影開始操作を示す信号をカメラ制御部３２１に送信すると（Ｓ６５でＹＥＳ）、カメラ制御部３２１は、撮影風景動画の撮影開始するようにカメラ９１等に指示する。指示を受けたカメラ９１等がユーザの撮影風景を動画で撮影する（Ｓ６６：動画撮影ステップ）。ここで、表示制御部３２３は、撮影風景を撮影中であることを示す情報（例えば、撮影風景撮影中等のテキスト）をタッチパネルモニタ９３に表示させてもよい。
【０２４５】
撮影風景動画の撮影中に、タッチパネルモニタ９３は、ユーザの撮影終了操作を検出すると（Ｓ６７でＹＥＳ）、ユーザの撮影終了操作を示す信号をカメラ制御部３２１に送信し、カメラ制御部３２１は、撮影風景動画の撮影を終了するようにカメラ９１等に指示する。指示を受けたカメラ９１等がユーザの撮影風景の撮影を終了する（Ｓ６８）。そして、通信制御部３１１は、撮影風景動画を管理サーバ４に送信する（送信ステップ）。
【０２４６】
カメラ制御部３２１は、撮影風景動画をリアルタイムで管理サーバ４に送信するように、通信制御部３１１に指示してもよい。また、通信制御部３１１は、管理サーバ４の動画管理部４１６の要請に応じて、記憶部２０２の動画データベース３４３から撮影風景動画を読み出して送信してもよい。
【０２４７】
これにより、管理サーバ４は、画像提供サイト等を介して、ユーザの携帯端末６に撮影風景動画を配信することができる。また、管理サーバ４は、予め携帯端末６に動画閲覧アプリを送信し、動画閲覧アプリを介して、ユーザの携帯端末６に撮影風景動画を配信してもよい。例えば、モデル会員の写真シール作成装置１での撮影会の様子を撮影風景動画として撮影することにより、ユーザは携帯端末６を用いて、その撮影会の様子を見ることができる。
【０２４８】
なお、Ｓ６５において、当該撮影開始ボタンが押されない場合（Ｓ６５でＮＯ）でも、撮影画像の撮影が始まる場合は、カメラ制御部３２１は、自動的に、撮影風景動画の撮影を開始してもよい。ただし、この場合、表示制御部３２３は撮影中止のボタンを表示させ、中止のボタンは押された場合は、カメラ制御部３２１は、撮影を中止し、取得した途中の撮影風景動画を削除する。
【０２４９】
また、Ｓ６７において、撮影終了ボタンが押されずに（Ｓ６７でＮＯ）、撮影画像の撮影が終了した場合は、カメラ制御部３２１は、撮影画像の撮影終了時の所定のタイミングで、自動的に撮影風景動画の撮影を終了してもよい。この場合、カメラ制御部３２１は、取得した動画を、正常に取得されたものとして扱う。
【０２５０】
なお、編集風景動画および編集過程動画も、撮影風景動画と同様に生成される。
【０２５１】
（スケジュールページ）
次に、ウェブページ作成部４１３が作成するスケジュールページについて、図２３および図２４に基づいて説明する。図２３は、ウェブページ作成部４１３が作成するスケジュールトップページの一例を示す図であり、図２４は、ウェブページ作成部４１３が作成するスケジュール詳細ページの一例を示す図である。なお、スケジュールページは、スケジュールトップページおよびスケジュール詳細ページを含む。
【０２５２】
図２３に示すように、スケジュールトップページ１０５１は、表示切替タブ１０５２およびカレンダー１０５３を含む。表示切替タブ１０５２は、ユーザ自身のスケジュールが掲載されたカレンダー、モデル会員のスケジュールが掲載されたカレンダー、お気に入りのユーザのスケジュールが掲載されたカレンダー等の表示を切り替えるものである。カレンダー１０５３には、写真シール作成装置１が生成した画像のサムネイル画像１０５４が、当該画像が撮影された日に掲載されている。なお、同日に複数の画像がある場合は、最初に撮影された画像またはユーザが選択した画像等の１つの画像のサムネイル画像１０５４を掲載してよい。サムネイル画像１０５４を選択すると、当該画像の詳細ページであるスケジュール詳細ページ１０６１が表示される。
【０２５３】
図２４に示すように、スケジュール詳細ページ１０６１は、写真シール作成装置１が生成した画像１０６２および当該画像１０６２に関する情報１０６３を含む。ウェブページ作成部４１３は、画像１０６２に対応づけられている画像管理情報を参照して、画像１０６２に撮影されている人物、画像１０６２が撮影された場所および画像１０６２を生成した写真シール作成装置の機種の少なくとも何れかを情報１０６３として掲載する。図２４に示す例では、情報１０６３として、画像１０６２の撮影者（画像１０６２に対応付けられているユーザ：所有者）、画像１０６２の撮影日時、画像１０６２の撮影場所、画像１０６２に一緒に写っている人（撮影者以外の人物）、画像１０６２を生成した写真シール作成装置の機種、および、画像１０６２に関してユーザが入力したコメントが掲載されている。だたし、情報１０６３は、これに限るものではなく、ファッションスタイルやイベント等の任意の情報が含まれていてよい。さらに、同日に撮影された他の画像の情報も参照できるように、次の画像への遷移ボタン（進む、戻るボタン）を掲載してもよい。
【０２５４】
なお、ウェブページ作成部４１３は、スケジュールトップページ１０５１のレイアウトを変更して、画像１０６２に関する情報１０６３をカレンダー１０５３上に掲載してもよい。
【０２５５】
また、ウェブページ作成部４１３は、同一のカレンダー上に、複数のユーザのスケジュールを掲載してもよい。例えば、ウェブページ作成部４１３は、ユーザ自身のスケジュールが掲載されているカレンダー１０５３上に、ユーザが選択したモデル会員またはお気に入りのユーザ等のスケジュールを掲載してもよい。また、ウェブページ作成部４１３は、同一のカレンダー上に、複数のモデル会員またはお気に入りのユーザのスケジュールを掲載してもよい。同一のカレンダー上に複数のユーザのスケジュールを掲載する場合、各スケジュールがどのユーザのスケジュールかがわかるように、ユーザ名を掲載してもよい。
【０２５６】
また、ウェブページ作成部４１３は、ユーザにお気に入りのユーザを登録させる際に、ユーザの閲覧履歴からお気に入りのユーザ候補を提示してもよい。
【０２５７】
また、画像管理部４１４は、スケジュールページに画像１０６２に関するコメントをユーザが入力した場合、当該画像１０６２の画像管理情報として、ユーザが入力したコメントを示すコメント情報を生成して、画像１０６２に対応付けてもよい。
【０２５８】
また、ウェブページ作成部４１３は、カレンダー１０５３またはスケジュール詳細ページ１０６１に、写真シール作成装置１で生成された画像以外の情報を掲載してもよい。具体的には、通信制御部４１１は携帯端末６からデータを受信し、ウェブページ作成部４１３は受信したデータ（画像データ、テキストデータ、動画データ、音声データ等）に基づく情報を掲載したスケジュールページを作成してもよい。例えば、１日のユーザの行動の予定等を掲載してもよい。すなわち、ユーザは、スケジュールページをスケジュール帳として利用することができる。具体的には、モデル会員は、或る日の１日の行動をスケジュールページに掲載して、他のユーザに公開することができる。
【０２５９】
ユーザ情報管理部４１７は、スケジュールページに掲載された情報をユーザ毎にまとめて、ユーザ情報データベース４２６に格納する。すなわち、ユーザ情報管理部４１７は、携帯端末６から受信した各種データを、ユーザに対応付けてユーザ情報データベース４２６に格納する。このように、ユーザは、任意のデータを管理サーバ４に保存することができる。そのため、管理サーバ４は、個人のスケジュール管理および個人データのストレージサービスを提供することができる。
【０２６０】
また、携帯端末６が外部サイトを管理するサイト管理装置（不図示）に情報を掲載するためにデータを送信した場合、通信制御部４１１はサイト管理装置から携帯端末６が送信したデータを受信し、ウェブページ作成部４１３は携帯端末６からサイト管理装置に送信されたデータに基づく情報を掲載したスケジュールページを作成してもよい。具体的には、ユーザが外部サイトであるＳＮＳまたはＢＬＯＧ等に情報（画像、動画およびテキスト等）をアップロードした場合、ウェブページ作成部４１３は、その外部サイトに掲載した情報をそのままスケジュールページに掲載する。
【０２６１】
これにより、ユーザが外部サイトに掲載した情報もスケジュールページで閲覧することができる。なお、ウェブページ作成部４１３は、自動的にサイト管理装置から携帯端末６が送信したデータを受信してもよいし、ユーザの操作（例えば連携ボタンの押下）に従って、サイト管理装置から携帯端末６が送信したデータを受信してもよい。
【０２６２】
また、ユーザ情報管理部４１７は、サイト管理装置から受信したデータに、当該サイト管理装置（または外部サイト）を一義的に特定するためのサイトＩＤを対応付けてユーザ情報データベース４２６に格納する。
【０２６３】
このように、管理サーバ４は、写真シール作成装置１で生成された画像以外の画像も保存するため、所定期間（１年または３年等）の画像（写真シール作成装置１で生成された画像および写真シール作成装置１で生成された画像以外の画像）をまとめたアルバムを作成してもよい。また、管理サーバ４は、ユーザがストレージを希望する画像集フォルダを作成してもよい。
【０２６４】
なお、本実施形態では、管理サーバ４が、ユーザに対してＳＮＳの機能を提供することもできる（以降では、単に、ＳＮＳを提供する、とも表現する）。
【０２６５】
このとき、管理サーバ４は、提供するＳＮＳにより、例えば、ユーザ間（友達登録しているユーザ同士）の画像の共有、友達登録している他のユーザ（友達）の画像の閲覧、友達の画像に対する評価（後述する「いいね」など）などが可能であってもよい。また、管理サーバ４は、提供するＳＮＳにより、友達のページに画像が投稿された旨のメールやお知らせをユーザに通知してもよいし、携帯端末６において画像閲覧用アプリケーションを起動した際に（又は、携帯端末６が当該ＳＮＳにアクセスした際に）携帯端末６の表示部６０５に友達の画像を表示させてもよい。
【０２６６】
また、管理サーバ４は、提供するＳＮＳにおいて、友達の画像をアルバム形式で閲覧可能にしてもよいし、ユーザと友達とで画像を見せ合う専用のアルバムを作成してもよい。さらに、管理サーバ４は、提供するＳＮＳの１つの機能として、上述のカレンダー機能を有していてもよい。
【０２６７】
なお、管理サーバ４は、提供するＳＮＳにおいて、他人がユーザの画像を閲覧可能するための条件として、ユーザと友達であることを設定可能であってもよい（つまり、ユーザは、友達の友達であって自身の友達ではない人物の画像を閲覧することはできない）。これによれば、ユーザは、自分の画像が不特定の人物に閲覧されることを望まない場合には、友達のみが閲覧可能にすることができる。
【０２６８】
また、管理サーバ４の提供するＳＮＳは、ユーザの友達と友達登録されている他のユーザを、友達がユーザに紹介できる機能を有していてもよい。この場合には、ＳＮＳは、例えば、ユーザが友達から紹介を受けた他のユーザの画像を閲覧したときに当該ユーザと他のユーザとの友達登録を可能にしてもよいし、ユーザが紹介を受けた他のユーザと友達登録したときに当該他のユーザの画像を閲覧可能にしてもよい。また、管理サーバ４は、提供するＳＮＳにおいて、写真シール作成装置１において同じ画像ＩＤを入力したユーザ同士を自動的に友達登録してもよいし、画像提供サイトにおいて同じシールＩＤ又は画像ＩＤを入力したユーザ同士を友達登録してもよい。
【０２６９】
また、ユーザは、携帯端末６を操作して、管理サーバ４に格納されている、写真シール作成装置１で生成された画像を、ＳＮＳまたはＢＬＯＧ等の外部サイトに掲載することができる。このとき、携帯端末６は、当該画像を対応付けられている画像管理情報と共にサイト管理装置に送信することにより、サイト管理装置は、画像管理情報に基づいて、外部サイトに画像の撮影日時、撮影されている人物、撮影場所、撮影機種、撮影コース、撮影店舗、その他撮影に必要な情報等を掲載することができる。そのため、ユーザは、外部サイトに写真シール作成装置１で生成された画像を掲載するときに、改めて画像の撮影日時、撮影されている人物、撮影場所等を入力する必要がなく、容易に画像および画像に関連する情報を外部サイトに掲載することができる。また、この外部サイトを見たユーザは、掲載されている画像がどこで撮影されたものか、どのようにして撮影されたものかを知ることができる。そのため、外部サイトを見たユーザは、画像を生成した写真シール作成装置１と同一の場所にあり、同一の機種である写真シール作成装置１で撮影することができ、外部サイトに掲載されている画像に似せた画像を容易に作成することができる。
【０２７０】
（変形例）
なお、写真シール作成装置１は、管理サーバ４上で人気のある画像をダウンロードして、利用前のデモンストレーション、印刷待ちなどにおいて表示してもよい。上記利用前のデモンストレーションにおいて上記人気のある画像を表示すると、当該写真シール作成装置１において撮影および編集を行う動機付けとなる。また、上記印刷待ちにおいて上記人気のある画像を表示すると当該人気のある画像に近い画像を作成するために、写真シール作成装置１を再び利用する動機付けとなる。
【０２７１】
また、写真シール作成装置１は、管理サーバ４上で人気のある画像の背景等の各種設定情報をダウンロードして、当該設定情報が示す設定でユーザが利用するコースを設けてもよい。この場合、ユーザが各種の設定を行う手間を省くことができ、利用時間を短縮することができる。また、当該コースでは、上記人気のある画像の人物への成り切りの度合いを判定したり、上記人気のある画像における撮影を忠実に再現している度合いを判定したりしてもよい。また、編集処理を上記人気のある画像の編集処理と同様とすることにより、写真撮影のみで上記人気のある画像に対するユーザの画像の評価が決定することになる。
【０２７２】
なお、上記人気のある画像の例としては、「いいね」が多い画像、すなわち、多数のユーザが支持する画像が挙げられる。また、写真シール作成装置１がダウンロードする人気のある画像は、同じ機種で作成されたものであることが好ましいが、異なる機種で作成されたものであってもよい。この場合、上記異なる機種を利用する動機付けとなる。また、上記ダウンロードの代わりに、写真シール作成装置１にて作成した画像を閲覧可能である旨をユーザの携帯端末６に送信するための電子メールに、上記人気のある画像であって、同じ機種で作成された画像を、お勧め画像として、当該画像へのリンク情報を含めてもよい。
【０２７３】
また、ユーザのお気に入りの人（モデル、友達など）を管理サーバ４予め登録しておき、登録された人の画像に利用されているスタンプ等の編集処理用ツールを、上記ユーザが利用中の写真シール作成装置１にて利用可能としたり、反映したり、ユーザに推奨したりしてもよい。このとき、写真シール作成装置１にて上記ユーザを認証してから行うことが好ましい。また、上記登録された人の画像を、管理サーバ４から写真シール作成装置１にダウンロードして、写真シール作成装置１における操作のデモンストレーションにて表示してもよい。
【０２７４】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２７５】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２７７】
本発明は、写真シール作成装置において作成されたユーザの撮影画像を管理サーバに保存する撮影画像管理システムとして、幅広く利用することができる。
【符号の説明】
【０２７８】
１  写真シール作成装置
４  管理サーバ（管理装置）
６  携帯端末（端末装置）
１１  撮影ユニット
１２  編集部
１３  事後接客部
２１  撮影部
９３  タッチパネルモニタ（入力部、表示部）
１３１  タブレット内蔵モニタ（入力部、表示部）
２０１  制御部
３１１  通信制御部（出力手段、取得手段、送信手段）
３１２  撮影制御部
３１３  編集制御部（編集手段）
３１４  印刷制御部
３１５  事後接客制御部
３２１  カメラ制御部（カメラ制御手段）
３２２  画像補正部（補正手段）
３２３  表示制御部（表示制御手段）
３２４  ユーザ判定部（判定手段）
３３１  表示制御部（表示制御手段）
４０１  制御部
４０２  記憶部
４０３  通信部
４１１  通信制御部（受信手段）
４１２  メール作成部
４１３  ウェブページ作成部（ページ作成手段）
４１４  画像管理部
４１５  写真シール作成装置管理部
４１６  動画管理部
４１７  ユーザ情報管理部
６０１  制御部
６０２  記憶部
６０３  通信部
６０４  入力部
６０５  表示部
６１１  通信制御部
６１２  入力制御部
６１３  表示制御部
【図１】
2015179224.tif 000003
【図２】
2015179224.tif 000004
【図３】
2015179224.tif 000005
【図４】
2015179224.tif 000006
【図５】
2015179224.tif 000007
【図６】
2015179224.tif 000008
【図７】
2015179224.tif 000009
【図８】
2015179224.tif 000010
【図９】
2015179224.tif 000011
【図１０】
2015179224.tif 000012
【図１１】
2015179224.tif 000013
【図１２】
2015179224.tif 000014
【図１３】
2015179224.tif 000015
【図１４】
2015179224.tif 000016
【図１５】
2015179224.tif 000017
【図１６】
2015179224.tif 000018
【図１７】
2015179224.tif 000019
【図１８】
2015179224.tif 000020
【図１９】
2015179224.tif 000021
【図２０】
2015179224.tif 000022
【図２１】
2015179224.tif 000023
【図２２】
2015179224.tif 000024
【図２３】
2015179224.tif 000025
【図２４】
2015179224.tif 000026